(57)【要約】【課題】配管に負担を与えない配管の支持装置および配管の支持方法を提供することである。【解決手段】本発明にかかる配管２００の支持装置１００は、湾曲部２１５，２２５を有する配管２００と、建築物に取り付けられた少なくともコ字形状と保持部１２０および支持部材１３０とを有する支持架台１１０と、支持架台１１０を水平面内で摺動可能に保持する保持部１２０、支持部材１３０、およびスライド装置１４０を含む。また、コ字形状の支持架台１１０は、配管の中央部Ｇを保持部１２０および支持部材１３０により支持する。【選択図】図１
2014190471.tif 000002
【特許請求の範囲】
【請求項１】
建築物のエキスパンション部における配管の支持装置であって、
湾曲部を有する配管と、
少なくともコ字形状と支持部とを有する支持架台と、
前記支持架台を水平方向に摺動可能に保持する摺動部材と、を含み、
前記コ字形状の支持架台は、前記配管の中央部を前記支持部により支持する、配管の支持装置。
【請求項２】
前記支持部は、前記コ字形状の鉛直上方に前記配管の中央部を載置する、請求項１記載の配管の支持装置。
【請求項３】
前記支持部は、剛体の棒部材を含み、前記棒部材の一端が、前記コ字形状の中央部に接続され、前記棒部材の他端が前記配管の前記中央部に接続された、請求項１記載の配管の支持装置。
【請求項４】
前記支持部は、複数点で前記中央部を支持する、請求項１乃至３のいずれか１項に記載の配管の支持装置。
【請求項５】
前記支持架台の端部の延在方向に沿って、前記支持架台を摺動可能に保持する摺動部材をさらに含み、
前記摺動部材は、前記建築物に固設された、請求項１乃至４のいずれか１項に記載の配管の支持装置。
【請求項６】
前記支持架台は、前記コ字形状を含むＨ字形状からなる、請求項１乃至５のいずれか１項に記載の配管の支持装置。
【請求項７】
建築物のエキスパンション部における配管の支持方法であって、
支持架台を水平面内で摺動可能に保持する摺動工程と、
少なくともコ字形状を有する支持架台により湾曲部を有する配管の中央部を支持する支持工程と、を含む、配管の支持方法。
【発明の詳細な説明】
【技術分野】
【０００１】
本発明は、ホテル、集合住宅、商業ビル等の多層建築物における免震継手およびエキスパンション部に配置された配管の支持装置および配管の支持方法に関する。
【背景技術】
【０００２】
近年、免震構造の建物が急速に研究開発されている。特に、東北地方太平洋沖地震以降、種々の研究が開始されている。
【０００３】
特許文献１には、構造および施工が簡単で安価に設置することができ、しかも、地震等の外力による配管や継手への負担がかかる恐れのない配管設備における変位吸収継手用吊設装置について開示されている。
【０００４】
特許文献１記載の配管設備における変位吸収継手用吊設装置においては、地盤に定着された基礎と、該基礎上に免震手段を介して構築された構造物本体との間に設置される配管設備において、上記基礎と構造物本体の両配管を相互に接続する変位吸収継手を、上記基礎あるいは構造物本体のいずれか一方に架設した案内手段により全水平方位に移動可能に吊設したものである。
【先行技術文献】
【特許文献】
【０００５】
【特許文献１】特開平１１−４４３８２号公報
【発明の概要】
【発明が解決しようとする課題】
【０００６】
しかしながら、特許文献１記載の配管設備における変位吸収継手用吊設装置においては、スライド部材６ａが矢印Ｙの方向に移動した場合、スライド部材６ａが原点に復帰し難い。このため、配管に負担がかかるという問題がある。
【０００７】
本発明の目的は、配管に負担を与えない配管の支持装置および配管の支持方法を提供することである。
本発明の他の目的は、力の方向を変化させないことにより、配管に負担を与えない配管の支持装置および配管の支持方法を提供することである。
【課題を解決するための手段】
【０００８】
（１）
一局面に従う配管の支持装置は、建築物のエキスパンション部における配管の支持装置であって、湾曲部を有する配管と、少なくともコ字形状と支持部とを有する支持架台と、支持架台を水平方向に摺動可能に保持する摺動部材と、を含み、コ字形状の支持架台は、配管の中央部を支持部により支持するものである。
【０００９】
本発明にかかる配管の支持装置は、湾曲部を有する配管と、建築物に取り付けられた少なくともコ字形状を有する支持架台と、支持架台を水平面内で摺動可能に保持する摺動部材と、を含む。また、コ字形状の支持架台は、配管の中央部を支持部により支持する。
【００１０】
この場合、形状が変化しないコ字形状の支持架台を、水平面内で摺動移動させることができる。したがって、配管に対して地震などの外力が加わった場合でも、支持架台により配管を支持しつつ、支持架台が摺動移動する。その結果、配管に負担を与えない配管の支持装置を実現できる。
特に、支持架台自身の接続部にスライド機構を採用することは、有効と考えられる。しかしながら、特許文献１（特開平１１−４４３８２号公報）の記載では、構造的に支持架台が歪み易いため、変位幅に対して支持スパンを大きく取らないと歪みが発生し変形することで原点復帰しないおそれが高い。本発明では、移動に起因する支持架台の歪みが、構造的に起こり難いため変位応力が働いた後の原点復帰が容易である。また設計上、より小さい余裕代で支持架台を設置することが可能である。
【００１１】
（２）
第２の発明にかかる配管の支持装置は、一局面に従う配管の支持装置において、支持部は、コ字形状の鉛直上方に配管の中央部を載置させてもよい。
【００１２】
この場合、配管の中央部を支持部により確実に支持することができる。その結果、配管の自重による負荷を支持部により吸収することができる。
【００１３】
（３）
第３の発明にかかる配管の支持装置は、一局面に従う配管の支持装置において、支持部は、剛体の棒部材を含み、棒部材の一端が、コ字形状の中央部に接続され、棒部材の他端が配管の中央部に接続されてもよい。
【００１４】
この場合、配管と支持架台との距離がある場合であっても容易に棒部材を用いて配管に負担を与えない支持装置を実現できる。
【００１５】
（４）
第４の発明にかかる配管の支持装置は、一局面から第３のいずれかの発明にかかる配管の支持装置において、支持部は、複数点で中央部を支持してもよい。
【００１６】
この場合、支持部は、中央部を複数点で支持することにより、耐荷重を複数点それぞれに分散させることで減少させることができる。また、容易に安全率を高めることができる。
【００１７】
（５）
第５の発明にかかる配管の支持装置は、一局面から第４の発明のいずれかにかかる配管の支持装置において、支持架台の端部の延在方向に沿って、支持架台を摺動可能に保持する摺動部材をさらに含み、摺動部材は、建築物に固設されてもよい。
【００１８】
この場合、建築物に固設された摺動部材が、支持架台の端部の延在方向に沿って支持架台を摺動可能に保持する。その結果、外力の方向を変化させないため、原点復帰が容易となる。
ここで、摺動部材は、ガイドシュー、ガイドパイプ、ローラ支持部材のいずれかまたは複数からなってもよい。
【００１９】
（６）
第６の発明にかかる配管の支持装置は、一局面から第５の発明のいずれかにかかる配管の支持装置において、支持架台は、コ字形状を含むＨ字形状からなってもよい。
【００２０】
この場合、コ字形状を付き合わせたＨ字形状からなるので、摺動部材の摺動距離をコ字形状の場合よりも大きくすることができる。
【００２１】
（７）
他の局面に従う配管の支持方法は、建築物のエキスパンション部における配管の支持方法であって、支持架台を水平面内で摺動可能に保持する摺動工程と、少なくともコ字形状を有する支持架台により湾曲部を有する配管の中央部を支持する支持工程と、を含むものである。
【００２２】
本発明にかかる配管の支持方法において、支持架台を水平面内で摺動可能に保持する摺動工程と、少なくともコ字形状を有する支持架台により湾曲部を有する配管の中央部を支持する支持工程と、を含むものである。
【００２３】
この場合、形状が変化しないコ字形状の支持架台を、水平面内で摺動移動させることができる。したがって、配管に対して地震などの外力が加わった場合でも、支持架台により配管を支持しつつ、支持架台が摺動移動する。その結果、配管に負担を与えない配管の支持方法を実現できる。
特に、支持架台自身の接続部にスライド機構を取り入れた場合（特許文献１、特開平１１−４４３８２号公報記載参照）、外力の方向を変化させる必要があるので、原点復帰しないおそれがある。
本発明においては、外力の方向を変化させずに、当該方向に従って移動するため、原点復帰が容易となる。
【図面の簡単な説明】
【００２４】
【図１】第１の実施の形態にかかる配管の支持装置の一例を示す模式的斜視図である。
【図２】建築物に対して外力が作用した場合における配管の支持装置の動作を説明するための模式的斜視図である。
【図３】建築物に対して外力が作用した場合における配管の支持装置の動作を説明するための模式的斜視図である。
【図４】第２の実施の形態にかかる配管の支持装置の一例を示す模式的斜視図である。
【図５】第３の実施の形態にかかる配管の支持装置の一例を示す模式的斜視図である。
【図６】第４の実施の形態にかかる配管の支持装置の一例を示す模式的斜視図である。
【図７】第５の実施の形態にかかる配管の支持装置の一例を示す模式的斜視図である。
【図８】第６の実施の形態にかかる配管の支持装置の一例を示す模式的斜視図である。
【図９】配管の支持装置のさらに一例を示す模式的斜視図である。
【図１０】配管の支持装置のさらに一例を示す模式的斜視図である。
【発明を実施するための形態】
【００２５】
以下、図面を参照しつつ、本発明の実施の形態について説明する。以下の説明では、同一の要素には同一の符号を付してある。それらの名称および機能も同じである。したがって、それらについての詳細な説明は繰り返さない。
【００２６】
（第１の実施の形態）
図１は、第１の実施の形態にかかる配管２００の支持装置１００の一例を示す模式的斜視図である。なお、以下の説明においては、図１に示すｘｙ軸に基づいて説明を行なう。
【００２７】
（支持装置１００）
図１に示すように、配管２００の支持装置１００は、Ｈ字形状からなる支持部１１０、支持部１１０に取り付けられる保持部１２０、および保持部１２０から鉛直下方に固定された支持部材１３０を含む。
【００２８】
（支持部１１０）
図１の支持部１１０は、Ｈ字形状からなる。支持部１１０は、支持棒１１１および支持棒１１２がｙ方向に延在し、かつ互いに平行に配設される。さらに支持棒１１１，１１２の間でｘ方向に支持棒１１３が固設される。すなわち、支持棒１１１の中央部に支持棒１１３の一端が垂直に接続され、支持棒１１２の中央部に支持棒１１３の他端が垂直に接続される。
支持部１１０は、例えば、腐食防止のために、外面防食鋼管（消防用の外防ＶＳ管、または、外面被覆付硬質塩化ビニルライニング鋼管）を用いる。また、支持棒１１１および支持棒１１３、支持棒１１２および支持棒１１３は、それぞれ溶接または転造ねじにより固定される。
【００２９】
なお、本実施の形態においては、支持部１１０が外面防食鋼管からなることとしたが、これに限定されず、必要強度を満足するものであれば、その他の鉄鋼、鋳鉄、ステンレス、銅等の金属、またはポリ塩化ビニル、ポリエチレン等の樹脂、および繊維強化プラスチック等の複合材料、その他任意の素材を用いてもよい。
また、上記の金属を用いる場合には、表面に防食用の樹脂塗膜または樹脂被膜を設けてもよい。
【００３０】
（保持部１２０）
図１に示すように、保持部１２０は、ｘｙ方向の十字形状からなり、ｘ方向の両端部にローラ１２１を有する。図１の保持部１２０は、支持部１１０の上に載置される。保持部１２０は、ローラ１２１により支持棒１１３上をｘ方向に移動することができる。
また、保持部１２０のｙ方向の両端部には、支持部材１３０が固設される。
【００３１】
なお、以下の各実施の形態においては、ローラ１２１を用いることとしたが、これに限定されず、保持部１２０が支持棒１１３に対して円滑に移動できる構造であれば、ローラ１２１を用いなくてもよい。
【００３２】
（支持部材１３０）
本実施の形態において、支持部材１３０は、剛性を有する円柱状の棒部材からなる。
支持部材１３０の一端側が保持部１２０に固定される。また、支持部材１３０の他端側が配管２００に固定される。支持部材１３０の他端側と配管２００とは、吊りバンドにより締結される。
【００３３】
なお、以下の各実施の形態においては、支持部材１３０が剛性を有する棒部材からなることとしたが、より具体的には、必要剛性を満足するものであれば、鉄鋼、鋳鉄、ステンレス、銅等の金属、またはポリ塩化ビニル、ポリエチレン等の樹脂、および繊維強化プラスチック等の複合材料、その他任意の素材を用いてよい。
また、上記の金属を用いる場合には、表面に防食用の樹脂塗膜または樹脂被膜を設けてもよい。
【００３４】
さらに、支持部材１３０は、図１に示した円柱状に限定されるものではなく、断面形状が、Ｃ鋼、Ｈ鋼、Ｌ鋼、円筒状、角材形状等であってもよい。
【００３５】
（スライド装置１４０）
図１に示すように、Ｈ字形状からなる支持部１１０には、スライド装置１４０が設けられる。スライド装置１４０は、一対のスライド装置１４１および一対のスライド装置１４２を含む。スライド装置１４０は、建築物、より具体的には建築物の基礎部に固設される。また、スライド装置１４０は、具体的には、ローラ金物からなるガイドシューである。
なお、以下の各実施の形態においては、スライド装置１４０がローラ金物からなるガイドシューである場合について説明を行なうが、これに限定されず、スライディングタイプのガイドシューなど摺動可能な他の任意の部材であってもよい。
【００３６】
本実施の形態における一対のスライド装置１４１，１４２のうち一対のスライド装置１４１は、Ｈ字形状からなる支持部１１０の支持棒１１２を矢印ｙの方向へ移動可能に支持し、一対のスライド装置１４２は、Ｈ字形状からなる支持部１１０の支持棒１１１を矢印ｙの方向へ移動可能に支持する。
【００３７】
（配管２００）
本実施の形態にかかる配管２００は、高性能ポリエチレン管からなる給水配管である。高性能ポリエチレン管は、例えば、高耐震性、クリープ性能および強度が飛躍的に高い『ＰＥ１００グレード』のポリエチレン材からなる。具体的には、ポリエチレン管（エスロハイパー［登録商標］ＡＷ）が挙げられる。その他、配管２００としては、合成ゴム管、ステンレスフレキ管、ブレードホース管、ステンレスメッシュ管が挙げられる。
【００３８】
本実施の形態において、図１に示すように、配管２００は、第１配管部２１０、第２配管部２２０、第３配管部２３０および湾曲部２１５，２２５を有する。
配管２００の第１配管部２１０はｘ方向に延在して設けられ、第１配管部２１０の端部に湾曲部２１５が設けられ、湾曲部２１５がｙ方向に延在した第２配管部２２０の一端に接続される。第２配管部２２０の他端に湾曲部２２５が設けられ、ｘ方向に延在した第３配管部２３０に接続される。
【００３９】
（支持部材と締結される配管２００の位置）
図１に示すように、本実施の形態においては、配管２００の重心位置Ｇを中心としてｙ方向の等距離の位置にある位置Ａ１，Ａ２それぞれに吊りバンドが設けられ、当該吊りバンドに支持部材１３０が設けられる。
【００４０】
（外力が加わった場合の配管２００の支持装置１００の動作）
次に、図２および図３は、建築物に対して外力が作用した場合における配管２００の支持装置１００の動作を説明するための模式的斜視図である。図２はｘ方向に外力が働いた場合を示し、図３はｙ方向に外力が働いた場合を示す。
【００４１】
まず、図２に示すように、ｘ方向に外力が働いた場合、配管２００はｘ方向に移動する。この場合、配管２００の支持装置１００は、保持部１２０のローラ１２１により支持棒１１３上をｘ方向と逆方向に相対移動することで、配管２００の移動を吸収する。
【００４２】
また、ｘ方向の外力が消失した場合、配管２００が原点の位置に戻ろうとする方向に動くとともに、配管２００の支持装置１００が、保持部１２０のローラ１２１により支持棒１１３上をｘ方向に容易に相対移動することで、配管２００を原点に復帰させることができる。
すなわち、配管２００にｘ方向にかかる力を、支持装置１００のｘ方向への動きのみで吸収させるので、容易に原点復帰を行なうことができる。
【００４３】
また、図３に示すように、ｙ方向に外力が働いた場合、配管２００はｙ方向に移動する。この場合、配管２００の支持装置１００は、一対のスライド装置１４１および一対のスライド装置１４２により支持部１１０がｙ方向と逆方向に相対移動することで、配管２００の移動を吸収する。
【００４４】
また、ｙ方向の外力が消失した場合、配管２００が原点の位置に戻ろうとする方向に動くとともに、配管２００の支持装置１００において、一対のスライド装置１４１および一対のスライド装置１４２により支持部１１０がｙ方向に容易に相対移動することで、配管２００を原点に復帰させることができる。
すなわち、配管２００にｙ方向にかかる力を、支持装置１００のｙ方向への動きのみで吸収させるので、容易に原点復帰を行なうことができる。
【００４５】
（配管２００の見込み移動距離に対する空間の余裕）
また、配管２００の支持装置１００の動作時の周囲空間の余裕度について説明を行なう。外力が加わった場合に、配管２００の想定される水平方向の移動半径をＲ（以下、移動半径Ｒと略記する。）とする。
具体的には、移動半径Ｒは、５ｃｍ以上１５ｃｍ以下の範囲を想定している。建築物の層間変位は、１／１００乃至1／２００である。すなわち、１００ｍｍに対して１ｍｍの変位勾配から２００ｍｍに対して１ｍｍの変位勾配までの範囲内の程度である。この場合、鉛直上下方向（ｚ方向）の変位は１ｍｍ未満であるため、鉛直上下方向の変位は無視できる。したがって、この場合、配管２００の支持装置１００は、水平方向の移動半径Ｒの移動を吸収する必要がある。
【００４６】
この場合、支持棒１１１および支持棒１１３の接続部と、保持部１２０との間の距離は、１．１Ｒ以上であることが望ましく、支持棒１１１および支持棒１１３の接続部と一対のスライド装置１４１の一方との間の距離は、１．１Ｒであることが望ましい。
また、支持棒１１２および支持棒１１３の接続部と、保持部１２０との間の距離は、１．１Ｒ以上であることが望ましく、支持棒１１２および支持棒１１３の接続部と一対のスライド装置１４２の一方との間の距離は、１．１Ｒであることが望ましい。
すなわち、移動半径Ｒに対して１０パーセント以上の余裕度を設けることが望ましい。
【００４７】
（第２の実施の形態）
次に、図４は、第１の実施の形態の他の例であり、第２の実施の形態にかかる配管２００の支持装置１００ａの一例を示す模式的斜視図である。なお、第２の実施の形態においては、第１の実施の形態における配管２００の支持装置１００と異なる点についてのみ説明を行なう。
【００４８】
図４に示すように、配管２００の支持装置１００の代わりに、配管２００の支持装置１００ａを備える。
【００４９】
配管２００の支持装置１００ａは、保持部１２０の代わりに保持部１２０ａを有する。保持部１２０ａは、支持棒１１３の外径よりも大きな径を有する。例えば、支持棒１１３がＳＧＰ−ＶＤ８０Ａの場合、保持部１２０ａは、ＳＧＰ−ＶＤ１００Ａで構成する。また、保持部１２０ａのｘ方向の両端にローラ１２１を有する。保持部１２０ａは、ローラ１２１により支持棒１１３上を移動することができる。
また、保持部１２０ａの中央には、支持部材１３０ａが固設される。
【００５０】
第２の実施の形態においては、支持部材１３０ａは、剛性を有する棒部材からなる。
支持部材１３０ａの一端側が保持部１２０ａに固定される。また、支持部材１３０ａの他端側が配管２００の重心位置Ｇに固定される。支持部材１３０ａの他端側と配管２００とは、吊りバンドにより締結される。
【００５１】
（第３の実施の形態）
次に、図５は、第１の実施の形態のさらなる他の例であり、第３の実施の形態にかかる配管２００の支持装置１００ｂの一例を示す模式的斜視図である。なお、第３の実施の形態においては、第１の実施の形態における配管２００の支持装置１００と異なる点についてのみ説明を行なう。
【００５２】
図５に示すように、配管２００の支持装置１００の代わりに配管２００の支持装置１００ｂを備える。
【００５３】
配管２００の支持装置１００ｂは、保持部１２０の代わりに保持部１２０ｂを有する。また、保持部１２０ｂのｘ方向の両端にローラ１２１ｂを有する。保持部１２０ｂは、ローラ１２１ｂにより支持棒１１３上を移動することができる。
また、本実施の形態においては、支持部材１３０が設けられない。なお、本実施の形態においては、支持部材１３０を設けないこととしているが、これに限定されず、支持装置１００ｂと配管２００との間に距離がある場合には、支持部材１３０ｂ（図示せず）を保持部１２０ｂから鉛直上方向に配管２００を支持するように設けてもよい。
なお、支持部材１３０を設けないことから、保持部１２０ｂは、配管２００の材質よりも硬度が同等以下の材質を用いることが望ましい。
【００５４】
（第４の実施の形態）
次に、図６は、第１の実施の形態のさらなる他の例であり、第４の実施の形態にかかる配管２００の支持装置１００ｃの一例を示す模式的斜視図である。なお、第４の実施の形態においては、第１の実施の形態における配管２００の支持装置１００と異なる点についてのみ説明を行なう。
【００５５】
図６に示すように、配管２００の支持装置１００の代わりに配管２００の支持装置１００ｃを備える。
【００５６】
配管２００の支持装置１００ｃは、保持部１２０の代わりに保持部１２０ｃを有し、支持部材１３０の代わりに支持部材１３０ｃを有する。保持部１２０ｃは、四角枠形状からなる。
【００５７】
支持部材１３０ｃは、四角枠形状の四隅から配管２００の重心位置Ｇを中心としてｙ方向の等距離の位置にある位置Ａ１，Ａ２それぞれに吊りバンドが設けられ、当該吊りバンドに支持部材１３０ｃが設けられる。
【００５８】
（第５の実施の形態）
次いで、図７は、第１の実施の形態のさらなる他の例であり、第５の実施の形態にかかる配管２００の支持装置１００ｄの一例を示す模式的斜視図である。なお、第５の実施の形態においては、第１の実施の形態における配管２００の支持装置１００と異なる点についてのみ説明を行なう。
【００５９】
第５の実施の形態にかかる支持部１１０ｄは、第１から第４の実施の形態と同じく、Ｈ字形状からなる支持部１１０ｄを有する。第５の実施の形態においては、支持部１１０ｄは、支持棒１１１および支持棒１１２がｘ方向に延在し、かつ互いに平行に配設される。さらに支持棒１１１，１１２の間でｙ方向に支持棒１１３が固設される。すなわち、支持棒１１１の中央部に支持棒１１３が垂直に接続され、支持棒１１２の中央部に支持棒１１３が垂直に接続される。
【００６０】
支持装置１００ｄは、第１の実施の形態にかかる支持装置１００と異なり、水平面内に９０度回転させた状態からなる。
支持装置１００ｄは、支持棒１１３に保持部１２０ｄが設けられる。保持部１２０ｄは、ｙ方向に延在し、両端部にローラ１２１ｄが設けられる。保持部１２０ｄは、ローラ１２１ｄにより支持棒１１３上をｙ方向に移動することができる。
また、保持部１２０ｄのｙ方向の両端部には、支持部材１３０が固設される。
【００６１】
（第６の実施の形態）
次いで、図８は、第１の実施の形態のさらなる他の例であり、第６の実施の形態にかかる配管２００の支持装置１００ｅの一例を示す模式的斜視図である。なお、第６の実施の形態においては、第１の形態における配管２００の支持装置１００と異なる点についてのみ説明を行なう。
【００６２】
第６の実施の形態にかかる配管２００の支持装置１００ｅにおいて、支持部１１０ｅは、支持棒１１１および支持棒１１２がｙ方向に延在し、かつ互いに平行に配設される。さらに支持棒１１１，１１２の間でｘ方向に支持棒１１３および支持棒１１４が固設される。
すなわち、支持棒１１１の中央部の一端に支持棒１１３が垂直に接続され、支持棒１１２の中央部の他端に支持棒１１４が垂直に接続される。
支持棒１１３および支持棒１１４は、平行に配設される。
【００６３】
また、図８に示すように、保持部１２０ｅは、一対の平行な部材からなり、支持棒１１３，１１４それぞれのｘ方向の両端部にローラ１２１を有する。
【００６４】
本実施の形態において、支持部材１３０ｅの一端側が保持部１２０ｅに固定され、支持部材１３０ｅの他端側が配管２００に固定される。
【００６５】
（その他の例）
図９は、第１の実施の形態のさらなる他の例であり、配管２００の支持装置１００ｆの一例を示す図である。図１０は、第１の実施の形態のさらなる他の例であり、配管２００の支持装置１００ｇの一例を示す図である。
【００６６】
図９に示すように、配管２００の支持装置１００ｆは、ユ字形状からなる支持部１１０ｆを含んでもよい。また、図１０に示すように、配管２００の支持装置１００ｇは、コ字形状からなる支持部１１０ｇを含んでもよい。
【００６７】
以上のように、本実施の形態にかかる配管２００の支持装置１００，１００ａ，〜，１００ｇは、固定された少なくともコ字形状を含む支持部１１０，１１０ａ，〜，１１０ｇを、水平面内で摺動移動させることができる。
したがって、配管２００に対して地震などの外力が加わった場合でも、支持部１１０，１１０ａ，〜，１１０ｇにより配管２００を支持しつつ、支持部１１０，１１０ａ，〜，１１０ｇが、保持部１２０，１２０ａ，〜，１２０ｅおよびスライド装置１４０の少なくともいずれかで摺動移動する。その結果、配管２００に負担を与えない配管２００の支持装置１００，１００ａ，〜，１００ｇを実現できる。
また、外力の方向を変化させずに、当該外力の方向に従って移動するため、ねじれまたはスライド不良が生じ難く、原点復帰が容易となる。すなわち、ｘ方向からの力をｙ方向で吸収させるためには、外力の方向を変化させる必要があるが、本発明の支持装置１００，１００ａ，〜，１００ｇでは、ｘ方向の外力をｘ方向で吸収させ、ｙ方向の力をｙ方向で吸収させるため、原点復帰が容易となる。
【００６８】
また、配管２００の重心位置Ｇを保持部１２０，１２０ａ，１２０ｃ，１２０ｄ，１２０ｅおよび支持部材１３０，１３０ａ，１３０ｃ，１３０ｅ、もしくは保持部１２０ｂにより確実に支持するため、配管２００の自重による負担を確実に吸収することができる。また、複数の支持部材１３０，１３０ｃ，１３０ｅで支持することにより各支持部材１３０，１３０ｃ，１３０ｅの耐荷重を減少させることができる。その結果、容易に安全率を高めることができる。
【００６９】
また、本実施の形態にかかる配管２００の支持装置１００，１００ａ，〜，１００ｇは、建築物の天井裏または床下との間である天井ふところ内に配設されるため、省スペース、かつコンパクト化を実現することができる。
【００７０】
さらに、本発明にかかる配管２００の支持装置１００，１００ａ，〜，１００ｇは、スプリングハンガー支持と異なり、経時変化の問題が生じない。すなわち、スプリングの経時変化等の支障が生じないため、長期間にわたり効果を持続することができる。すなわち、経時変化によるスプリングの変化により原点復帰が困難となることが生じないため、長期間にわたり効果を持続することができる。
【００７１】
なお、本発明にかかる配管２００の支持装置１００，１００ａ，〜，１００ｇは、鉛直上下方向（ｚ方向）の外力に対しては無対応としたため、コンパクト化を実現することができる。なお、鉛直上下方向の外力に対応するため、支持部材１３０，１３０ａ，１３０ｃ，１３０ｅとして緩衝装置、ダンパー等、任意の装置を用いてもよい。
【００７２】
なお、本実施の形態においては、給水配管を例示して説明したが、これに限定されず、排水管等、その他任意の配管にも適用することができる。
【００７３】
なお、本実施の形態においては、配管２００が、湾曲部２１５，２２５を有することしているが、これに限定されず、他の任意の湾曲形状を有するものであってもよい。
さらにスライド装置１４０は、摺動可能であれば、Ｕ字ボルトを用いてもよい。
【００７４】
本発明においては、配管２００が配管に相当し、配管２００の支持装置１００，１００ａ，〜，１００ｇが支持装置に相当し、湾曲部２１５，２２５が湾曲部に相当し、支持部１１０，１１０ａ，〜，１１０ｇが少なくともコ字形状を有する支持架台に相当し、スライド装置１４０が摺動部材に相当し、重心位置Ｇが配管の中央部に相当し、保持部１２０，１２０ａ，〜，１２０ｅおよび支持部材１３０，１３０ａ，１３０ｃ，１３０ｅが支持部に相当し、位置Ａ１，Ａ２が複数点に相当する。
【００７５】
本発明の好ましい一実施の形態は上記の通りであるが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【符号の説明】
【００７６】
１００，１００ａ，〜，１００ｇ  支持装置
１１０，１１０ａ，〜，１１０ｇ  支持部
１２０，１２０ａ，〜，１２０ｅ  保持部
１３０，１３０ａ，１３０ｃ，１３０ｅ  支持部材
１４０  スライド装置
２００  配管
２１５，２２５  湾曲部
Ａ１，Ａ２  位置
Ｇ  重心位置
【図１】
2014190471.tif 000003
【図２】
2014190471.tif 000004
【図３】
2014190471.tif 000005
【図４】
2014190471.tif 000006
【図５】
2014190471.tif 000007
【図６】
2014190471.tif 000008
【図７】
2014190471.tif 000009
【図８】
2014190471.tif 000010
【図９】
2014190471.tif 000011
【図１０】
2014190471.tif 000012